(57)【要約】【課題】撮像素子とカバーガラスとの間に湿気が侵入して撮影画像に影響を及ぼすことのない撮像モジュールを提供することである。【解決手段】この撮像モジュールに於いては、開口１７ａを有するフレキシブル基板１７の一方の面上に、撮像面を上記開口１７ａ側に向けて、上記開口１７ａの周縁部に塗布された防湿性接着剤３０により開口１７ａを覆うようにして撮像素子２１が固着されている。また、上記フレキシブル基板１７の他方の面上に、上記開口１７ａの周縁部に塗布された防湿性接着剤３１により、上記開口１７ａを覆うようにしてカバーガラス２４が固着されている。【選択図】      図４
2007194272.tif 000002
【特許請求の範囲】
【請求項１】
開口を有するフレキシブル基板と、
上記フレキシブル基板の一方の面上に、撮像面を上記開口側に向けて、上記開口周縁部に塗布された防湿性接着剤により上記開口を覆うように固着された撮像素子と、
上記フレキシブル基板の他方の面上に、上記開口周縁部に塗布された防湿性接着剤により上記開口を覆うように固着されたカバーガラスと、
を具備することを特徴とする撮像モジュール。
【請求項２】
開口を有するフレキシブル基板と、
上記フレキシブル基板の一方の面上に、撮像面を上記開口側に向けて、上記開口周縁部に塗布された第１の接着剤により上記開口を覆うように固着された撮像素子と、
上記フレキシブル基板の他方の面上に、上記開口周縁部に塗布された第２の接着剤により上記開口を覆うように固着されたカバーガラスと、
上記カバーガラスの外周端面と上記フレキシブル基板の他方の面とを繋いで、上記カバーガラスの外周を取り囲むように環状に塗布された第３の接着剤と、
を具備することを特徴とする撮像モジュール。
【請求項３】
枠状の保護部材を更に具備し、
上記フレキシブル基板の他方の面に、該枠内の内周に上記第３の接着剤の外周が隣接して上記保護部材が固着されていることを特徴とする請求項２に記載の撮像モジュール。
【請求項４】
開口を有するフレキシブル基板と、
上記フレキシブル基板の一方の面上で、上記開口周縁部に塗布された防湿性を有する第１の接着剤と、
撮像面を上記開口側に向けて、上記第１の接着剤により上記開口を覆うように固着された撮像素子と、
上記フレキシブル基板の他方の面上で、上記開口周縁部に塗布された防湿性を有する第２の接着剤と、
上記フレキシブル基板の他方の面上に、上記第２の接着剤により上記開口を覆うように固着されたカバーガラスと、
を具備することを特徴とする撮像モジュール。
【請求項５】
上記フレキシブル基板の他方の面上であって、上記カバーガラスの周囲に所定の間隙を有して上記カバーガラスの外周を取り囲むように環状に設けられた保護部材と、
を更に具備することを特徴とする請求項４に記載の撮像モジュール。
【請求項６】
上記カバーガラスと上記保護部材との上記間隙に塗布された防湿性を有する第３の接着剤を更に具備することを特徴とする請求項５に記載の撮像モジュール。
【請求項７】
開口を有するフレキシブル基板と、
上記フレキシブル基板の一方の面上で、上記開口周縁部に塗布された防湿性を有する第１の接着剤と、
撮像面を上記開口側に向けて、上記第１の接着剤により上記開口を覆うように固着された撮像素子と、
上記フレキシブル基板の他方の面上で、上記開口周縁部に塗布された柔軟性を有する第２の接着剤と、
上記フレキシブル基板の他方の面上に、上記第２の接着剤により上記開口を覆うように固着されたカバーガラスと、
上記カバーガラスの外周端面と上記フレキシブル基板の他方の面とを繋いで、上記カバーガラスの外周を取り囲むように環状に塗布された防湿性を有する第３の接着剤と、
を具備することを特徴とする撮像モジュール。
【請求項８】
上記フレキシブル基板の他方の面上であって、上記第３の接着剤の周囲に上記カバーガラスの外周を取り囲むように環状に設けられた保護部材を更に具備することを特徴とする請求項７に記載の撮像モジュール。
【発明の詳細な説明】
【技術分野】
【０００１】
本発明は、撮像モジュールに関し、より詳細には、フレキシブル基板等に固定される撮像モジュールの改良に関するものである。
【背景技術】
【０００２】
一般に、一眼レフレックスタイプのデジタルカメラ（以下、単に一眼レフカメラと略記する）では、被写体像を結像するためにＣＣＤ（Ｃｈａｒｇｅ  Ｃｏｕｐｌｅｄ  Ｄｅｖｉｃｅ）等の撮像素子が搭載された撮像モジュールが用いられている。この撮像モジュールは、フレキシブル基板等に撮像素子が装着されているもので、その撮像素子の撮像面の前面には、塵埃等の侵入防止用にカバーガラス等が装着されている。つまり、これら撮像素子とカバーガラスは、それぞれ接着剤等によってフレキシブル基板に装着されている。
【０００３】
例えば、下記特許文献１には、フリップチップ実装された撮像素子を使った光学系が記載されている。
【特許文献１】特許公報第３２０７３１９号公報
【発明の開示】
【発明が解決しようとする課題】
【０００４】
上述した撮像モジュールは、撮像素子とカバーガラスをフレキシブル基板に取り付ける際に接着剤が使用されているのが一般的である。ところが、撮像素子とカバーガラスとの間に湿気が入ると、カバーガラス表面及び撮像素子の結像面が曇ったり、水滴が付着したりするおそれがある。すると、撮像素子に結像される像が不明瞭になる等、撮影画像に悪影響を及ぼすおそれがある。そのため、撮像モジュール内への湿気の侵入を防止する対策が必要であった。
【０００５】
しかしながら、上述した特許文献１に記載の技術では、特に湿気の侵入に対する対策はとられていないものであった。
【０００６】
したがって本発明は上記課題に鑑みてなされたものであり、撮像素子とカバーガラスとの間に湿気が侵入して撮影画像に影響を及ぼすことのない撮像モジュールを提供することを目的とする。
【課題を解決するための手段】
【０００７】
すなわち請求項１に記載の発明は、開口を有するフレキシブル基板と、上記フレキシブル基板の一方の面上に、撮像面を上記開口側に向けて、上記開口周縁部に塗布された防湿性接着剤により上記開口を覆うように固着された撮像素子と、上記フレキシブル基板の他方の面上に、上記開口周縁部に塗布された防湿性接着剤により上記開口を覆うように固着されたカバーガラスと、を具備することを特徴とする。
【０００８】
請求項２に記載の発明は、開口を有するフレキシブル基板と、上記フレキシブル基板の一方の面上に、撮像面を上記開口側に向けて、上記開口周縁部に塗布された第１の接着剤により上記開口を覆うように固着された撮像素子と、上記フレキシブル基板の他方の面上に、上記開口周縁部に塗布された第２の接着剤により上記開口を覆うように固着されたカバーガラスと、上記カバーガラスの外周端面と上記フレキシブル基板の他方の面とを繋いで、上記カバーガラスの外周を取り囲むように環状に塗布された第３の接着剤と、を具備することを特徴とする。
【０００９】
請求項３に記載の発明は、請求項２に記載の発明に於いて、枠状の保護部材を更に具備し、上記フレキシブル基板の他方の面に、該枠内の内周に上記第３の接着剤の外周が隣接して上記保護部材が固着されていることを特徴とする。
【００１０】
請求項４に記載の発明は、開口を有するフレキシブル基板と、上記フレキシブル基板の一方の面上で、上記開口周縁部に塗布された防湿性を有する第１の接着剤と、撮像面を上記開口側に向けて、上記第１の接着剤により上記開口を覆うように固着された撮像素子と、上記フレキシブル基板の他方の面上で、上記開口周縁部に塗布された防湿性を有する第２の接着剤と、上記フレキシブル基板の他方の面上に、上記第２の接着剤により上記開口を覆うように固着されたカバーガラスと、を具備することを特徴とする。
【００１１】
請求項５に記載の発明は、請求項４に記載の発明に於いて、上記フレキシブル基板の他方の面上であって、上記カバーガラスの周囲に所定の間隙を有して上記カバーガラスの外周を取り囲むように環状に設けられた保護部材と、を更に具備することを特徴とする。
【００１２】
請求項６に記載の発明は、請求項５に記載の発明に於いて、上記カバーガラスと上記保護部材との上記間隙に塗布された防湿性を有する第３の接着剤を更に具備することを特徴とする。
【００１３】
請求項７に記載の発明は、開口を有するフレキシブル基板と、上記フレキシブル基板の一方の面上で、上記開口周縁部に塗布された防湿性を有する第１の接着剤と、撮像面を上記開口側に向けて、上記第１の接着剤により上記開口を覆うように固着された撮像素子と、上記フレキシブル基板の他方の面上で、上記開口周縁部に塗布された柔軟性を有する第２の接着剤と、上記フレキシブル基板の他方の面上に、上記第２の接着剤により上記開口を覆うように固着されたカバーガラスと、上記カバーガラスの外周端面と上記フレキシブル基板の他方の面とを繋いで、上記カバーガラスの外周を取り囲むように環状に塗布された防湿性を有する第３の接着剤と、を具備することを特徴とする。
【００１４】
請求項８に記載の発明は、請求項７に記載の発明に於いて、上記フレキシブル基板の他方の面上であって、上記第３の接着剤の周囲に上記カバーガラスの外周を取り囲むように環状に設けられた保護部材を更に具備することを特徴とする。
【発明の効果】
【００１５】
本発明によれば、撮像素子とカバーガラスとの間に湿気が侵入して撮影画像に影響を及ぼすことのない撮像モジュールを提供することができる。
【発明を実施するための最良の形態】
【００１６】
以下、図面を参照して本発明の実施形態を説明する。
【００１７】
（第１の実施形態）
図１及び図２は、本発明の第１の実施形態に係る撮像モジュールが実装されたデジタル一眼レフカメラのミラーボックス部分の構成を示すもので、図１は斜視図、図２は図１のミラーボックス部分の断面図である。また、図３はアルミ板１５、保護部材１６、フレキシブル基板１７、撮像素子２１等の配置関係を示す上面図である。
【００１８】
光軸上で、ミラーボックス１０の本体部１１の前面部であるマウント部１３は、図示されないレンズ鏡筒が装着されて固定される部分である。そして、本体部１１の後方は、後述する撮像素子を含む撮像部の各種部品が取り付けられるようになっている。
【００１９】
すなわち、保護部材１６は、フレキシブル基板１７の屈曲による撮像素子２１、カバーガラス２４の接着面の保護や、カメラ本体に組み付ける際の位置決めに使用されるものである。アルミ板１５は、フレキシブル基板１７を介して保護部材１６をビス（図示せず）止めするためのものである。尚、このアルミ板１５は、ミラーボックス１０全体の位置決めの基準となるものである。
【００２０】
撮像素子２１はＣＣＤ等から成るもので、図示されない撮影光学系を透過して自己の光電変換面上に照射された光に対応した画像信号を得る。そして、この撮像素子２１は、本体部１１の後方側からフレキシブル基板１７の裏面（一方の面）側に、後述する接着剤によって接着されている。その際、撮像素子２１のアルミ電極上に設けられた図示それないピン状の突起（バンプ）が、接着剤の収縮によってフレキシブル基板１７のコネクタ部に圧接され、それによって両者の導通が確保される。撮像素子２１の結像面側には、該撮像素子２１で光電変換されて取得された画像信号を、図示されない画像処理回路等の電気回路に供給するためのフレキシブル基板１７が接続されている。
【００２１】
上記撮像素子２１の結像面と反対側には、該撮像素子２１で蓄積された熱を放出するための、例えばセラミック製の放熱板２０が取り付けられている。そして、この放熱板２０が、上述したアルミ板１５に取り付けられることによって、撮像素子２１がミラーボックス１０の本体部１１に固定される。
【００２２】
また、フレキシブル基板１７の他方の面側となる上記撮像素子２１の結像面の側には、該撮像素子２１の結像面を保護するカバーガラス２４と、図示されない撮影光学系を透過して照射される被写体光束から高周波成分を取り除くべく形成されたローパスフィルタ（Ｌｏｗ  Ｐａｓｓ  Ｆｉｌｔｅｒ；以下「光学ＬＰＦ」と略記する）２６と、撮像素子２１の結像面への被写体光束の照射時間等を制御するシャッタ２７とが、順次配設されている。
【００２３】
図４は、図２に示される撮像モジュール４０を拡大して示した断面図である。
【００２４】
この撮像モジュール４０に於いて、フレキシブル基板１７は、略方形状の開口１７ａを有している。そして、この開口１７ａの周囲であって、フレキシブル基板１７の第１の面である裏面側（図４で下側）には、撮像素子用の第１の接着剤である防湿性接着材３０が環状に塗布されている。撮像素子２１は、この防湿性接着剤３０によってフレキシブル基板１７に固着される。
【００２５】
同様に、開口１７ａの周囲であって、フレキシブル基板１７の第２の面である表面側（図４で上側）には、第２の接着剤であるカバーガラス用の防湿性接着剤３１が環状に塗布されている。そして、カバーガラス２４は、この防湿性接着剤３１によってフレキシブル基板１７に固着される。
【００２６】
このように、フレキシブル基板１７と撮像素子２１との接着、及びフレキシブル基板１７とカバーガラス２４との接着に、それぞれ防湿性接着材３０及び３１を用いているので、撮像モジュール４０内に湿気が侵入することを防止することができる。したがって、温度変化があった場合でも、撮像モジュール４０の内面が曇るという現象を抑えて、撮像素子２１に結像される像が不明瞭になる等の撮影画像に悪影響を及ぼすおそれがなくなる。
【００２７】
（第２の実施形態）
次に、本発明の第２の実施形態について説明する。
【００２８】
図５は、本発明の第２の実施形態に於ける撮像モジュールを拡大して示した断面図である。
【００２９】
尚、本第２の実施形態に於いて、撮像モジュール以外の基本的な構成については、図１乃至図３に示される第１の実施形態と同じであり、基本的な動作についても同様である。したがって、これらの構成及び動作については、同一の部分には同一の参照番号を付して、その図示及び説明は省略するものとし、異なる部分についてのみ説明する。
【００３０】
この撮像モジュール４１は、フレキシブル基板１７に略方形状の開口１７ａを有している。そして、この開口１７ａの周囲であって、フレキシブル基板１７の第２の面である表面側（図５で上側）には、第３の接着剤であるカバーガラス用で防湿性の低い柔軟性接着剤３２が環状に塗布されている。更に、この柔軟性接着剤３２の周囲には、防湿性接着剤３１が環状に塗布されている。カバーガラス２４は、防湿性接着剤３１及び柔軟性接着剤３２によって、フレキシブル基板１７に固着される。
【００３１】
このように、第２の実施形態による撮像モジュール４１では、フレキシブル基板１７とカバーガラス２４との接着に防湿性接着材３１を用いているので、撮像モジュール４０内に湿気が侵入することを防止すると共に、カバーガラス２４が応力により変形しても柔軟性接着剤３２によって上記応力を吸収するため、撮像素子２１が変形することを抑えることができる。
【００３２】
（第３の実施形態）
次に、本発明の第３の実施形態について説明する。
【００３３】
図６は、本発明の第３の実施形態に於ける撮像モジュールの構成を示す斜視図である。
【００３４】
尚、本第３の実施形態に於いて、撮像モジュール以外の基本的な構成については、図１乃至図３に示される第１の実施形態と同じであり、基本的な動作についても同様である。したがって、これらの構成及び動作については、同一の部分には同一の参照番号を付して、その図示及び説明は省略するものとし、異なる部分についてのみ説明する。
【００３５】
この撮像モジュール４２に於いて、フレキシブル基板１７に形成された略方形状の開口（図示せず）の周囲であって、フレキシブル基板１７の第２の面である表面側（図６で上側）には、カバーガラス用の防湿性接着剤３１が環状に塗布されている。そして、カバーガラス２４は、この防湿性接着剤３１によってフレキシブル基板１７に固着される。
【００３６】
更に、カバーガラス２４の周囲に、間隙３４を有して保護部材１６が環状に配設されている。この保護部材１６は、カバーガラス２４の接着面保護、及び撮像素子２１の接着面保護のために設けられているもので、硬質部材により構成されている。
【００３７】
このように構成することにより、第３の実施形態による撮像モジュール４２では、防湿性接着材３０及び３１によって、撮像モジュール４２内に湿気が侵入することを防止すると共に、保護部材１６によって撮像素子２１が変形することを抑えることができる。
【００３８】
（第４の実施形態）
次に、本発明の第４の実施形態について説明する。
【００３９】
図７は、本発明の第４の実施形態に於ける撮像モジュールを拡大して示した断面図である。
【００４０】
尚、本第４の実施形態に於いて、撮像モジュール以外の基本的な構成については、図１乃至図３に示される第１の実施形態と同じであり、基本的な動作についても同様である。したがって、これらの構成及び動作については、同一の部分には同一の参照番号を付して、その図示及び説明は省略するものとし、異なる部分についてのみ説明する。
【００４１】
この撮像モジュール４３は、フレキシブル基板１７に略方形状の開口１７ａを有している。そして、この開口１７ａの周囲であって、フレキシブル基板１７の第２の面である表面側（図６で上側）には、カバーガラス用で防湿性の低い柔軟性接着剤３２が環状に塗布されている。更に、この柔軟性接着剤３２の周囲であって、該柔軟性接着剤３２と保護部材１６との間隙に防湿性接着剤３１が環状に塗布されている。カバーガラス２４は、防湿性接着剤３１及び柔軟性接着剤３２によって、フレキシブル基板１７に固着される。
【００４２】
このように、第３の実施形態による撮像モジュール４２では、フレキシブル基板１７とカバーガラス２４との接着に防湿性接着材３１を用いているので、撮像モジュール４０内に湿気が侵入することを防止すると共に、カバーガラス２４が応力により変形しても柔軟性接着剤３２によって上記応力を吸収するため、撮像素子２１が変形することを抑えることができる。
【００４３】
また、カバーガラス２４と保護部材１６の間に防湿性接着剤３１を塗布することにより、撮像モジュールをアルミ板１５に貼り付ける際の位置決めが容易になる。
【００４４】
尚、上述した実施形態では、一眼レフカメラの例を示したが、これに限られるものではなく、撮像素子を搭載したデジタルカメラであれば適用可能である。
【００４５】
以上、本発明の実施形態について説明したが、本発明は上述した実施形態に限定されるものではなく、本発明の要旨を逸脱しない範囲で種々の変形実施が可能であるのは勿論である。
【００４６】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４７】
【図１】本発明の第１の実施形態に係る撮像素子の実装構造が適用されたデジタル一眼レフカメラのミラーボックス部分の構成を示す斜視図である。
【図２】本発明の第１の実施形態に係る撮像素子の実装構造が適用されたデジタル一眼レフカメラのミラーボックス部分の構成を示す断面図である。
【図３】本発明の第１の実施形態に係る撮像素子の実装構造が適用されたデジタル一眼レフカメラのミラーボックス部分の構成を示すもので、アルミ板１５、保護部材１６、フレキシブル基板１７、撮像素子２１等の配置関係を示す上面図である。
【図４】図２に示される撮像モジュール４０を拡大して示した断面図である。
【図５】本発明の第２の実施形態に於ける撮像モジュールを拡大して示した断面図である。
【図６】本発明の第３の実施形態に於ける撮像モジュールの構成を示す斜視図である。
【図７】本発明の第４の実施形態に於ける撮像モジュールを拡大して示した断面図である。
【符号の説明】
【００４８】
１０…ミラーボックス、１１…本体部、１３…マウント部、１５…アルミ板、１６…保護部材、１７…フレキシブル基板、１７ａ…開口、２０…放熱板、２１…撮像素子、２４…カバーガラス、２６…ローパスフィルタ（ＬＰＦ）、２７…シャッタ、３０、３１…防湿性接着剤、３２…柔軟性接着剤、３４…間隙、４０、４１、４２、４３…撮像モジュール。
【図１】
2007194272.tif 000003
【図２】
2007194272.tif 000004
【図３】
2007194272.tif 000005
【図４】
2007194272.tif 000006
【図５】
2007194272.tif 000007
【図６】
2007194272.tif 000008
【図７】
2007194272.tif 000009